(57)【要約】【課題】ホスト装置から電子ペーパーに表示すべき表示データが受信することができない通信不能状態においても、必要な情報を表示部に表示させて、視覚的な認証手段として利用することができる携帯型情報処理装置を提供する。【解決手段】ホスト装置２００とＩＣカード（携帯型情報処理装置）との間の無線通信の通信状態を監視し、無線通信が通信不能状態であるか否かを判定するステップ（ステップＳ１０２）と、通信不能状態である場合に、特定の入力操作を受け付けたか否かを判定するステップ（ステップＳ１０４）と、特定の入力操作を受け付けた場合に、記憶部に記憶されているデータに応じた表示データをＩＣカードの表示部に表示させるステップ（ステップＳ１０５）と、を有する。【選択図】図５
2009218990.tif 000002
【特許請求の範囲】
【請求項１】
ホスト装置と相互に無線通信を行う携帯型情報処理装置において、
前記ホスト装置から送信された表示データを表示する表示部と、
前記表示データを記憶する不揮発性の記憶部と、
入力操作を受け付ける入力操作部と、
前記無線通信の通信状態を監視し、前記無線通信が通信不能状態であることを検出する通信制御部と、
前記通信制御部により通信不能状態が検出されているときに、前記入力操作部が特定の入力操作を受け付けた場合は前記記憶部に記憶されている表示データを前記表示部に表示させる表示制御部と、を有することを特徴とする携帯型情報処理装置。
【請求項２】
前記表示データが、当該携帯型情報処理装置の保有者を特定する個人特定情報を含むことを特徴とする請求項１に記載の携帯型情報処理装置。
【請求項３】
前記通信不能状態が検出されているときに前記表示制御部が前記記憶部から読み出して前記表示部に表示させる表示データが、前記ホスト装置と最後に無線通信を行ったときに前記ホスト装置から送信された表示データであることを特徴とする請求項１または２に記載の携帯型情報処理装置。
【請求項４】
前記特定の入力操作は、前記入力操作部に装備された複数個の操作ボタンを特定手順で操作するもので、予め当該携帯型情報処理装置に記憶させた所定の操作であることを特徴とする請求項１から３の何れかに記載の携帯型情報処理装置。
【請求項５】
ホスト装置と相互に無線通信を行い、前記ホスト装置から送信された表示データを表示する携帯型情報処理装置の制御方法において、
前記無線通信の通信状態を監視し、前記無線通信が通信不能状態であるか否かを判定するステップと、
前記通信不能状態である場合に、特定の入力操作を受け付けたか否かを判定するステップと、
前記特定の入力操作を受け付けた場合に、前記記憶部に記憶されているデータに応じた表示データを表示部に表示させるステップと、を有することを特徴とする携帯型情報処理装置の制御方法。
【発明の詳細な説明】
【技術分野】
【０００１】
本発明は、ホスト装置と相互に無線通信を行う携帯型情報処理装置及びその制御方法に関する。
【背景技術】
【０００２】
近年、電磁界や電波などを用いた近距離（周波数帯によって数ｃｍ〜数ｍ）の無線通信によって、ＩＤ情報を埋め込んだタグとリーダ／ライタとの間で情報をやりとりするＲＦＩＤ（Radio Frequency Identification）技術が知られている。
特許文献１には、遊技機や遊技媒体貸出装置（台間機）などの遊技関連機器に関するデータを正確かつ迅速に更新して管理するため、ＲＦＩＤ技術を採用したデータ管理システムが記載されている。
【０００３】
特許文献２には、物品に管理情報を記録したＲＦＩＤタグを付すことにより、物品の貸出管理を自動的に行うことが可能で、物品管理の省力化を実現した物品貸出期限管理システムが記載されている。
【０００４】
また、特許文献３には、建物の出入口、部屋の出入口、及び保管棚にそれぞれリーダライタを備え、それぞれのリーダライタから読み取られたＩＤコードの論理性をチェックすることにより、保管棚の施開錠の制御と保管棚に収納されている物品持ち出しを管理する物品管理システムが記載されている。
【０００５】
また、特許文献４には、表示部である電子ペーパーを備えたＩＣカードが記載されており、ホスト装置によって電子ペーパーによるカード表面のデータ表示を可変的に変更するカードシステムが記載されている。
【０００６】
このカードシステムのホスト装置は、ＩＣカードとデータの送受信が可能なカードＩ／Ｆ装置と、このカードＩ／Ｆ装置との間でデータの送受信を行う通信装置と、通信装置が受信したカードからの通信内容における識別用データと顧客・カード識別用データベースに格納しているカード保有者の識別用データとを照合してＩＣカードの認証を行うカード認証装置と、基本制御データベースに格納している基本部分データと個別制御データベースに格納している個別部分データとを抽出して結合データを作成する制御データ作成装置と、を備えている。
【０００７】
結合データは、ＩＣカードに備えられた電子ペーパーに表示する表示データを含む情報であり、例えば、一部の画像データをＩＣカードが出入りする部署毎の要求等に応じて変更することにより、電子ペーパーに表示させる画像を出入りする部署毎に必要な認証画像に自動的に切り替えることができるようになっている。
従って、各部署の受付等では、電子ペーパーに表示している画像を視認することで、容易にそのＩＣカードの提示者を認証することができ、出入り許可を視覚的に確認する認証カードとしても、利用することができる。
【０００８】
【特許文献１】特開２００１−２１２３４１号公報
【特許文献２】特開２００５−２９８１００号公報
【特許文献３】特開２００５−３０１３３１号公報
【特許文献４】特開２００４−０３０４０６号公報
【発明の開示】
【発明が解決しようとする課題】
【０００９】
ところで、特許文献４に記載されているカードシステムにおいて非接触式のＩＣカードが用いる場合に、何らかの事情によりＩＣカードとホスト装置との間の無線通信が通信不能状態になると、カード認証装置によるＩＣカードの認証処理を行うことができない。また、ＩＣカードは電子ペーパーに表示させる表示データを受信できず、電子ペーパーに画像を表示することができなくなってしまう。
なお、通信不能状態が発生する原因としては、例えば、ホスト装置を構成している通信装置、カード認証装置、制御データ作成装置等の何れかが機能停止したり、あるいはホスト装置がネットワークを介して表示データを送信する構成でネットワークに故障が発生した場合などが考えられる。
【００１０】
本発明は、上記課題を解決するためになされたものであって、例えばＩＣカードのようにホスト装置と相互に無線通信を行う携帯型情報処理装置において、ネットワーク故障やホスト装置の構成部材の故障等で、ホスト装置から表示データを受信することができない通信不能状態に陥った場合でも、必要な情報を携帯型情報処理装置の表示部に表示させることを目的とする。また、通信不能状態に陥った場合でも、視覚的な認証手段として利用することができる携帯型情報処理装置及びその制御方法を提供することを目的とする。
【課題を解決するための手段】
【００１１】
上記課題を解決することのできる本発明の携帯型情報処理装置は、ホスト装置と相互に無線通信を行う携帯型情報処理装置において、
前記ホスト装置から送信された表示データを表示する表示部と、
前記表示データを記憶する不揮発性の記憶部と、
入力操作を受け付ける入力操作部と、
前記無線通信の通信状態を監視し、前記無線通信が通信不能状態であることを検出する通信制御部と、
前記通信制御部により通信不能状態が検出されているときに、前記入力操作部が特定の入力操作を受け付けた場合は前記記憶部に記憶されている表示データを前記表示部に表示させる表示制御部と、を有することを特徴とする。
この構成によれば、携帯型情報処理装置がホスト装置に対して通信不能状態になっているときでも、入力操作部で行う特定の入力操作をすれば、表示制御部が記憶部に記憶されている表示データに応じた画像を表示部に表示させる。したがって、ホスト装置と通信不能状態になっているときでも、必要な情報を携帯型情報処理装置の表示部に表示させることができ、必要な情報を視認可能に表示した認証手段として携帯型情報処理装置を有用に利用することができる。
【００１２】
また、本発明において、表示データが、当該携帯型情報処理装置の保有者を特定する個人特定情報を含むことが好ましい。
この構成によれば、ホスト装置に対して通信不能状態になっているときでも、個人特定情報を含む認証用の表示データを表示部に表示させることが可能である。例えば、特定の施設や設備の利用許可のために個人特定が必要となる場合にも、携帯型情報処理装置に表示した画像の視認による認証によって個人特定ができる。個人特定に必要な画像が携帯型情報処理装置に表示できないために施設や設備の利用許可が受けられなくなるといった事態を回避することができる。
【００１３】
また、本発明において、前記通信不能状態が検出されているときに前記表示制御部が前記記憶部から読み出して前記表示部に表示させる表示データが、前記ホスト装置と最後に無線通信を行ったときに前記ホスト装置から送信された表示データであることが好ましい。
この構成によれば、通信不能状態が検出されているときに表示制御部により表示部に表示される画像は、直前の通信可能状態の時に入手した最新の認証結果を反映したものである。例えば、認証用の情報の更新が繰り返されていた場合でも、比較的に最新の更新情報を表示することができる。
【００１４】
また、本発明において、前記特定の入力操作は、前記入力操作部に装備された複数個の操作ボタンを特定手順で操作するもので、予め当該携帯型情報処理装置に記憶させた所定の操作であることが好ましい。
この構成によれば、入力操作部に装備された複数個の操作ボタンを操作する特定手順は、例えば当該携帯型情報処理装置の保有者自身が任意に設定する構成とすることができる。これにより、入力操作を保有者自身が決定した暗号入力として機能させることができ、特定の入力操作で表示される情報に個人情報が含まれる場合に、不用意にその個人情報が表示されることを防止して個人情報を保護することが可能になる。
【００１５】
また、上記課題を解決することのできる本発明は、ホスト装置と相互に無線通信を行い、前記ホスト装置から送信された表示データを表示する携帯型情報処理装置の制御方法において、
前記無線通信の通信状態を監視し、前記無線通信が通信不能状態であるか否かを判定するステップと、
前記通信不能状態である場合に、特定の入力操作を受け付けたか否かを判定するステップと、
前記特定の入力操作を受け付けた場合に、前記記憶部に記憶されているデータに応じた表示データを表示部に表示させるステップと、を有することを特徴とする。
この構成によれば、携帯型情報処理装置がホスト装置に対して通信不能状態である場合でも、記憶部に記憶されているデータに応じた表示データを表示部に表示させるステップが実施されることにより、表示部に情報が表示されない表示不能状態に陥ることを防止することができる。したがって、情報を視認可能に表示した認証手段として携帯型情報処理装置を有用に利用することができる。
【発明を実施するための最良の形態】
【００１６】
以下、本発明に係る携帯型情報処理装置及びその制御方法の実施の形態について、図面を参照して詳細に説明する。図１は本発明の携帯型情報処理装置の一実施形態であるＩＣカードにおける画像表示をホスト装置により制御するＩＣカードシステムの全体構成を示す図である。
【００１７】
図１に示したＩＣカードシステム３００は、ＩＣカード１０−１，１０−２と、これらのＩＣカード１０−１，１０−２と相互に無線通信して、これらのＩＣカード１０−１，１０−２に表示データを送るホスト装置２００とで構成されている。
【００１８】
ホスト装置２００は、具体的には、図１に示すように、通信ルータ２０−１，２０−２、制御装置３０−１，３０−２、ネットワーク４０、管理装置５０、およびユーザ端末装置６０−１，６０−２を備えている。ホスト装置２００は、ＩＣカード１０−１，１０−２との無線通信で得たカード固有のデータと、カード保有者の識別用データとを照合してＩＣカードの認証を行い、認証結果を示す表示データをＩＣカード１０−１，１０−２に送信する。
これに対して、ＩＣカード１０−１，１０−２は、ホスト装置２００から送信された表示データを、後述するＥＰＤパネル１１ａに表示する。
【００１９】
次に、ホスト装置２００の各構成部品について、その動作や機能を説明する。
通信ルータ２０−１，２０−２は、ループアンテナＡ１１〜Ａ１３およびループアンテナＡ２１〜Ａ２３を有し、通信対象となるＩＣカードが属している通信可能エリアに対応するループアンテナを用いてＩＣカード１０−１，１０−２との無線通信を実施し、更に、後述の管理装置５０から送信される表示データをＩＣカード１０−１，１０−２に送信する。
【００２０】
制御装置３０−１，３０−２は、通信ルータ２０−１，２０−２が受信したＩＣカード１０−１，１０−２からの情報を、ネットワーク４０を介して管理装置５０に送ったり、管理装置５０から送信された表示データを、通信対象のＩＣカード１０−１，１０−２に対応するコマンドに変換し、通信ルータ２０−１，２０−２を介して通信対象のＩＣカードに送信する。
【００２１】
ネットワーク４０は、例えば、ＬＡＮ（Local Area Network）またはインターネット等によって構成され、制御装置３０−１，３０−２、ユーザ端末装置６０−１，６０−２、および、管理装置５０を相互に接続し、これらの間で情報を送信する。
【００２２】
管理装置５０は、各種のデータベースを保有していている。例えば、カード識別情報データベースを保有しており、通信ルータ２０−１，２０−２が受信したＩＣカード１０−１，１０−２からの通信内容におけるカード固有のデータとカード識別情報データベースに格納しているカード保有者の識別用データとを照合してＩＣカード１０−１，１０−２の認証を行う。また、他のデータベースからその認証結果に応じたデータを抽出し、それらのデータを結合して結合データを作成したりする。
【００２３】
また、管理装置５０は、ＩＣカード１０−１，１０−２と相互に無線通信しているループアンテナの位置を特定する情報と、そのループアンテナを有する制御装置を特定する情報とを対応付けして格納する位置特定データベースを保有している。
そして、ユーザ端末装置６０−１，６０−２は、管理装置５０に対して、所定の情報を所定のＩＣカードに対して送信する要求を行うことができる。
【００２４】
管理装置５０は、例えば、ユーザ端末装置６０−１，６０−２から特定のＩＣカードに対して所定の情報を送信する要求がなされた場合には、この位置特定データベースを参照して、通信対象のＩＣカードが属する通信エリアに対応するループアンテナおよび制御装置を特定し、通信対象のＩＣカードに対して情報を送信する。
【００２５】
管理装置５０が作成する結合データは、ＩＣカード１０−１，１０−２に備えられたＥＰＤパネル１１ａに表示する表示データを含み、通信ルータ２０−１，２０−２よりＩＣカード１０−１，１０−２に送信される表示データである。例えば、一部の表示データをＩＣカード１０−１，１０−２が出入りする部署毎の要求等に応じて変更することにより、ＩＣカード１０−１，１０−２に表示させる画像を出入りする部署毎に必要な認証画像に自動的に切り替えることができるようになっている。
従って、各種の部署の受付等では、ＩＣカード１０−１，１０−２に表示している画像を視認することで、容易にそのＩＣカードの提示者を認証することができ、出入り許可を視覚的に確認する認証カードとしても、利用することができる。
【００２６】
図２は、上記のＩＣカード１０−１，１０−２が社員証として利用される場合に、管理装置５０が作成した表示データによりＩＣカード１０−１，１０−２に表示される画像を例示したものである。図３は、図１に示すＩＣカード１０−１の外観構成を示す図である。
【００２７】
ここに例示した社員証は、○×付属病院の社員であることを証明するものである。そして、上記ＩＣカード１０−１，１０−２を社員証として使う病院では、病院の通用門や病院内の各部署、あるいは適宜に病院内を区分した各エリア毎に、ＩＣカード１０−１，１０−２と相互に無線通信可能な通信ルータ２０−１，２０−２が配置されている。ＩＣカード１０−１，１０−２を保有した社員が各通信ルータ２０−１，２０−２により通信可能な範囲に入ると、自動的にＩＣカード１０−１，１０−２と通信ルータ２０−１，２０−２との間で相互に通信を行う。管理装置５０が認証処理結果に応じて作成した表示情報がＩＣカード１０−１，１０−２に送信されて、各ＩＣカード１０−１，１０−２に認証用の画像が表示される。
【００２８】
図２において、（ａ）は初期状態の時のＩＣカード１０−１，１０−２における表示画像であり、（ｂ）はＩＣカードの認証処理が行われる前の初期時表示画像であり、（ｃ）〜（ｆ）はＩＣカードの認証処理後、社名や社員個人を識別する個人特定情報がＩＣカード１０−１，１０−２に登録された場合の表示画像例を示したものである。
【００２９】
図２（ｂ）に示した表示画像は、退社等でＩＣカード１０−１，１０−２を保有する社員が通用門等に配置された通信ルータ２０−１，２０−２の通信エリアから外れるときに、管理装置５０が対象となるＩＣカードに送信する表示データである。画像表示するデータとしては、社名Ｄ１と、会社の代表電話番号Ｄ２のみに制限し、ＩＣカードの保有者を特定する個人特定情報に該当する画像は含まないようにしている。
【００３０】
図２（ｃ）は、出社時画面で、ＩＣカード１０−１，１０−２を保有する社員が出社して、通用門等に配置された通信ルータ２０−１，２０−２の通信エリア内に入ったときに、管理装置５０が対象となるＩＣカードに送信する表示データである。画像表示するデータとしては、社名Ｄ１や出社時間Ｄ３、職場連絡事項Ｄ４などのデータの他に、ＩＣカードの保有者を特定する個人特定情報に該当するデータＤ５〜Ｄ８がある。
データＤ５は該当社員の所属部署名であり、データＤ６は該当社員の氏名であり、データＤ７は該当社員の識別コード（番号）であり、Ｄ８は該当社員の顔写真である。
【００３１】
図２（ｄ），（ｅ）は、ＩＣカード１０−１，１０−２に装備される入力操作部１５の操作によって、特定の情報表示要求をホスト装置２００に送信した結果、要求した画像が追加された状態を示している。
（ｄ）では、（ｃ）の画面から更に時計表示Ｄ９が追加されている。
（ｅ）では、出勤データの表示が要求された場合で、（ｃ）の画面の一部に、出勤データ表Ｄ１０が表示された構成になっている。
【００３２】
図２（ｆ）は、ＩＣカード１０−１，１０−２の保有者が、病院内の他の通信エリアから売店エリア内に移動したときに、表示される表示データである。管理装置５０は、ＩＣカード１０−１，１０−２と売店エリア内を通信可能エリアとする通信ルータ２０−１，２０−２との相互通信を介して、対象のＩＣカードの存在位置を売店エリア内であると特定し、売店でのカード払いによる商品購入を可能にするバーコードデータＤ１１をＩＣカードへ送信する。
【００３３】
上記のようにＩＣカードシステム３００が稼働する施設が病院の場合には、図２（ｆ）に示したようにＩＣカード１０−１，１０−２の保有者の移動に応じて自動的に表示する画像の一部を変更する画像制御を、例えば、出入り許可が必要となる各部署や施設毎に実施することで、ＩＣカードを各部署や施設に出入りする際の視覚的な認証手段として有効に利用することができる。
【００３４】
なお、この例では、ＩＣカードは２枚とされ、制御装置および通信ルータはそれぞれ２台とされ、ループアンテナは３本ずつとされ、ユーザ端末装置は２台とされ、管理装置は１台とされているが、これ以外の数であってもよい。
【００３５】
なお、ＩＣカード１０−１とＩＣカード１０−２は、同様の構成とされているので、以下では、ＩＣカード１０−１を例に挙げて説明を行う。
【００３６】
図３に示すように、ＩＣカード１０−１は、略長方形の薄型の形状を有する担体１００を有している。ＩＣカード１０−１の表面（図３における奥行き方向の手前側の面）には、前述のホスト装置２００の通信ルータ２０−１，２０−２から送信された表示データを表示する表示部として、ＥＰＤ（Electrophoretic Display）パネル１１ａがはめ込まれている。そして、このＥＰＤパネル１１ａの下側（図３の上下方向の下側）には、入力操作部１５を構成する３つの操作ボタン１５ａ〜１５ｃが配置されている。
【００３７】
図４は、ＩＣカード１０−１の内部構成例を示すブロック図である。
図４に示すように、ＩＣカード１０−１は、ＥＰＤパネル１１ａ、ＳＲＡＭ（Static RAM）１１ｂ、表示制御回路１２、バッテリ１３、電源回路１４、入力操作部１５、表示制御ＭＣＵ（表示制御部）１６、不揮発性メモリ（不揮発性の記憶部）１７、通信制御ＭＣＵ１８（通信制御部）、ＲＦ（Radio Frequency）回路１９、および、ループアンテナ１９ａを主要な構成要素としている。
なお、上記表示制御ＭＣＵ１６及び通信制御ＭＣＵ１８に表記の「ＭＣＵ」は、Main Control Unitを略記したものである。
【００３８】
ここで、ＥＰＤパネル１１ａは、透明な液体の中で浮動する微粒子を電界によって移動させることにより文字および図形等の表示を行うと共に、電源の供給を絶っても表示が継続する不揮発性の表示デバイスである。また、本実施の形態のＥＰＤパネル１１ａは、薄肉シート状の表示デバイスで、いわゆる電子ペーパーとも呼称されるものである。
【００３９】
ＳＲＡＭ１１ｂは、ＥＰＤパネル１１ａに表示する情報を一時的に格納するメモリである。より詳細には、ＥＰＤパネル１１ａは、例えば、横および縦がそれぞれ３５２×４５０画素から構成されており、ＳＲＡＭ１１ｂは、横および縦がそれぞれ３５２×４５０ビットの情報を格納可能な記憶容量を有しており、ＳＲＡＭ１１ｂに格納されている情報の各ビットに応じてＥＰＤパネル１１ａを構成する画素を黒または白の状態とすることにより、種々の情報を表示することができる。なお、この実施の形態では、ＳＲＡＭ１１ｂは、書き込みのみが可能なライトオンリ（Write Only）のメモリとして構成される。
【００４０】
表示制御回路１２は、ＥＰＤパネル１１ａに情報を表示する際の制御を行う回路であり、例えば、表示制御ＭＣＵ１６とＥＰＤパネル１１ａとの間の電圧の変換を行う制御を行う。
また、表示制御回路１２は、電源回路１４から供給された電力をＳＲＡＭ１１ｂおよびＥＰＤパネル１１ａに供給する。
【００４１】
バッテリ１３は、例えば、リチウムイオン電池等によって構成され、電源回路１４に直流電力を供給する。
電源回路１４は、バッテリ１３から供給される電源電圧を、所定の電圧に昇圧または降圧し、表示制御回路１２に供給する。なお、図４では、電源回路１４によって生成された電源電圧は、表示制御回路１２のみに供給されているが、実際にはその他の部分にも供給されている。
【００４２】
入力操作部１５は、３つの操作ボタン１５ａ〜１５ｃと、図示せぬスイッチによって構成され、図３に示す操作ボタン１５ａ〜１５ｃがユーザによって操作された場合には、スイッチがオンまたはオフの状態になり、表示制御ＭＣＵ１６がスイッチの状態に基づいて操作ボタンが操作されたことを検出する。
【００４３】
不揮発性メモリ１７は、例えば、ＦｅＲＡＭ(Ferroelectric RAM)によって構成され、管理装置５０から供給された描画コマンドを格納する。また、不揮発性メモリ１７は、表示制御ＭＣＵ１６が使用するフォントデータおよびビットマップデータを格納するとともに、表示制御ＭＣＵ１６が実行するプログラム等を格納する。
【００４４】
更に、本実施の形態の場合、不揮発性メモリ１７は、ホスト装置２００において各ＩＣカードの識別や認証処理に必要な固有データ１７ａやホスト装置２００から送信された表示データ１７ｂを記憶する。固有データ１７ａには、例えば、各ＩＣカードに固有の情報としての固有ＩＤと、全てのＩＣカードに共通の情報としてのグローバルＩＤと、複数のＩＣカードに共通の情報としてのグループＩＤなどが、記憶される。また、表示データ１７ｂには、上述したように、社名Ｄ１や出社時間Ｄ３、職場連絡事項Ｄ４などのデータの他に、ＩＣカードの保有者を特定する個人特定情報に該当するデータＤ５〜Ｄ８がある。
【００４５】
通信制御ＭＣＵ１８は、ＲＦ回路１９から供給されるディジタル信号を解釈し、内蔵するメモリ（不図示）を書き換えたり、ディジタル信号から復元されたコマンドを表示制御ＭＣＵ１６に供給したりする。
更に、本実施の形態の場合、通信制御ＭＣＵ１８は、ＲＦ回路１９における電波の受信状況によりＲＦ回路１９とホスト装置２００との間の無線通信の通信状態を監視していて、ホスト装置２００との間の無線通信が通信不能状態であることを検出すると、その旨を表示制御ＭＣＵ１６に通知する。
【００４６】
ＲＦ回路１９は、ループアンテナ１９ａによって捕捉された電波を復調し、ディジタル信号を生成して、通信制御ＭＣＵ１８に供給する。ループアンテナ１９ａは、コイル形状を有しており、通信ルータ２０から送信された電波を捕捉し、ＲＦ回路１９に供給する。
【００４７】
表示制御ＭＣＵ１６は、通信制御ＭＣＵ１８から供給された描画コマンドを不揮発性メモリ１７に描画コマンドとして格納するとともに、コマンドを解釈し、不揮発性メモリ１７に格納されている対応するフォントデータまたはビットマップデータを取得し、内蔵されているＶＲＡＭ（Video RAM）をワークエリアとして描画処理を実行し、得られた表示データを表示制御回路１２に供給してＥＰＤパネル１１ａに表示させる処理を実行する。
【００４８】
そして、本実施の形態のＩＣカード１０−１，１０−２の場合、表示制御ＭＣＵ１６は、通信制御ＭＣＵ１８により通信不能状態が検出されているときに、入力操作部１５が特定の入力操作を受け付けたか否かを判定し、入力操作部１５が特定の入力操作を受け付けた場合は不揮発性メモリ１７に記憶されている情報に応じた画像をＥＰＤパネル１１ａに表示させる。
【００４９】
そして、本実施の形態のＩＣカード１０−１，１０−２の場合、表示制御ＭＣＵ１６は、通信不能状態が検出されているときに、入力操作部１５から特定の入力操作が成された時には、その入力操作に対応して予め不揮発性メモリ１７に取り決めしていた表示データを不揮発性メモリ１７から読み出してＥＰＤパネル１１ａに表示させる。
【００５０】
ここで、入力操作部１５からの特定の入力操作とは、入力操作部１５に装備された３つの操作ボタン１５ａ〜１５ｃを特定手順で操作するもので、表示制御ＭＣＵ１６は各操作ボタン１５ａ〜１５ｃの操作の順列組み合わせを暗号として記憶することで、ＩＣカードの保有者がのみしか知り得ない暗号入力で、通信不能時にＥＰＤパネル１１ａに表示させる画像の選択を可能にしている。
【００５１】
次に、通信不能状態のときにＥＰＤパネル１１ａに表示データを表示させる処理方法について図５を参照して説明する。
図５に示すように、ＩＣカードとホスト装置２００の通信可能状態であるときは、通常行う処理を実行している（ステップＳ１０１）。ホスト装置２００との間の無線通信状態を通信制御ＭＣＵ１８が監視し、無線通信が通信不能状態であるか否かを判定する（テップＳ１０２）。通信不能状態であると判定されると（ステップＳ１０２：Ｙｅｓ）、表示制御ＭＣＵ１６は入力操作部１５が特定の入力操作を受け付ける待機状態となる（ステップＳ１０３）。
【００５２】
入力操作部１５が特定の入力操作を受け付けた場合（ステップＳ１０４：Ｙｅｓ）、不揮発性メモリ１７に記憶されているデータに応じた表示データをＥＰＤパネル１１ａに表示させる（ステップＳ１０５）。
【００５３】
ステップＳ１０２における通信状態の判定では、ＲＦ回路１９が受信する電波の強度を閾値より低くなって、正常に通信できなくなったときに、通信不能状態と判定される。正常な通信状態であると判定された時には、ステップＳ１０１の通常制御状態に戻り（ステップＳ１０１）、ホスト装置２００から送信された表示データをＥＰＤパネル１１ａに表示する。
【００５４】
ステップＳ１０１の通常制御状態の時では、例えば、ＩＣカード１０−１，１０−２が社員証で、且つ、カード保有者が社内となる病院内にいる場合には、ホスト装置２００から送信される表示データに基づいて、図２の（ｃ）〜（ｆ）の画像を表示する。
【００５５】
一方、ステップＳ１０２において、通信不能状態に陥っていると判定された場合には、表示制御ＭＣＵ１６による制御処理はステップＳ１０３に進み、入力操作部１５からの特定の入力操作による暗号入力を待つ暗号入力待機状態になる。
【００５６】
そして、ステップ１０４において、暗号入力（特定の入力操作）が成されたと判定されると、不揮発性メモリ１７に記憶されている表示データのうち、ＩＣカードの保有者を特定する個人特定情報に該当するデータＤ５〜Ｄ８をＥＰＤパネル１１ａに表示する（ステップＳ１０５）。
【００５７】
また、上記のステップ１０４において、暗号入力（特定の入力操作）が成されていない場合には、ステップＳ１０２に戻り、ホスト装置２００との間の無線通信が正常に回復するのを待つ。
【００５８】
本実施の形態のＩＣカード１０−１，１０−２では、ホスト装置２００に対して通信不能状態になっているときでも、入力操作部１５で特定の入力操作をすれば、表示制御ＭＣＵ１６が不揮発性メモリ１７に記憶されている個人特定情報に対応した画像をＥＰＤパネル１１ａに表示させる。
従って、ホスト装置２００に対して通信不能状態になっているときでも、ＥＰＤパネル１１ａに情報が表示されない表示不能状態に陥ることを防止することができ、情報を視認可能に表示した認証手段としてＩＣカード１０−１，１０−２を有用に利用することができる。
【００５９】
例えば、特定の施設や設備の利用許可のために個人特定が必要となる場合にも、ＩＣカード１０−１，１０−２に表示した画像の視認による認証によって個人特定が可能で、個人特定に必要な画像がＩＣカード１０−１，１０−２に表示できないために施設や設備の利用許可が受けられなくなるといった不便を回避することができる。
【００６０】
さらに、本実施の形態のＩＣカード１０−１，１０−２では、入力操作部１５が受け付ける特定の入力操作は、入力操作部１５に装備された３個の操作ボタン１５ａ〜１５ｃを特定手順で操作するもので、予め当該ＩＣカード１０−１，１０−２に記憶させた所定の操作である。
したがって、これらの操作ボタン１５ａ〜１５ｃを操作する特定手順は、例えば当該ＩＣカード１０−１，１０−２の保有者自身が任意に設定する構成としておくことで、入力操作を保有者自身が決定した暗号入力として機能させることができ、特定の入力操作で表示される情報に個人情報が含まれる場合に、不用意にその個人情報が表示されることを防止して個人情報を保護することが可能になる。
【００６１】
また、本発明に係るＩＣカードにおいて、ホスト装置との間の無線通信が通信不能状態の時に、表示部に表示させる表示データは、個人特定情報に限られない。例えば、ステップＳ１０２で通信不能状態が検出されているときに表示制御ＭＣＵ１６が不揮発性メモリ１７から読み出し、ステップＳ０５でＥＰＤパネル１１ａに表示させる表示データは、ホスト装置２００と最後に無線通信を行ったときにホスト装置２００から送信された表示データであってもよい。
通信不能状態が検出されているときに表示制御ＭＣＵ１６によりＥＰＤパネル１１ａに表示される画像は、直前の通信可能状態の時に入手した最新の認証結果を反映したもので、例えば、認証用の情報の更新が繰り返されていた場合でも、比較的に最新の更新情報を表示することができる。
【００６２】
また、最後に無線通信を行った場所を記憶しておいて、その場所に関する情報を表示するよう構成することもできる。このように、通信不能状態に陥った場合に、最後に通信を行ったときの表示データや最後に通信を行った場所の情報を表示することによって、通信可能であった場所がわかるのでその場所に戻って再度電波を受信することができる。
【００６３】
なお、本発明に係るＩＣカードにおいて、入力操作部を構成する操作ボタンの数量等は、上記実施の形態に限定しない。適宜に設計変更することが可能である。
【図面の簡単な説明】
【００６４】
【図１】本実施形態のＩＣカードシステムの全体構成を示す図である。
【図２】ホスト装置との無線通信でＩＣカードに送信される表示データによってＩＣカードに表示される具体的な画像の例の説明図である。
【図３】図１に示すＩＣカードの外観を示す図である。
【図４】図１に示すＩＣカードの詳細な構成例を示すブロック図である。
【図５】図１に示したＩＣカードにおいて通信不能時に画像を表示させる制御方法を示すフローチャートである。
【符号の説明】
【００６５】
１０−１，１０−２：ＩＣカード（携帯型情報処理装置）、１１ａ：ＥＰＤパネル（表示部）、１５：入力操作部、１６：表示制御ＭＣＵ（表示制御部）、１７：不揮発性メモリ（不揮発性の記憶部）、１７ａ：固有データ、１７ｂ：表示データ、１８：通信制御ＭＣＵ（通信制御部）、２００：ホスト装置、３００：ＩＣカードシステム
【図１】
2009218990.tif 000003
【図２】
2009218990.tif 000004
【図３】
2009218990.tif 000005
【図４】
2009218990.tif 000006
【図５】
2009218990.tif 000007